【手続補正書】
【提出日】平成20年6月30日(2008.6.30)
【手続補正１】
【補正対象書類名】明細書
【補正対象項目名】特許請求の範囲
【補正方法】変更
【補正の内容】
【特許請求の範囲】
【請求項１】  非同期ネットワークを介して、パケット化されたマルチメディアデータを受信し、パケット化されたマルチメディアデータを送信するためのサーバ装置であって、
複数の信号源のうち選択された１つから、前記選択された信号源と関連する同期情報を含むパケット化されたマルチメディアデータを受信する入力と、
第１のクロックと、
前記入力および前記第１のクロックに結合され、前記同期情報に応答して、前記選択された信号源に関連する第２のクロックを用いて前記第１のクロックを表すことを可能にするクロック調整ファクタを生成するコントローラであって、前記選択された信号源から受信した前記パケット化されたマルチメディアデータ、および前記クロック調整ファクタが含まれるデータフレームを生成するコントローラと、
前記非同期ネットワークに結合され、前記データフレームをクライアントデバイスに送信する出力と、
前記コントローラ、前記第１のクロックおよび前記出力に結合され、同期タイムスタンプをそれぞれの前記データフレームに置くタイムスタンプデバイスであって、前記同期タイムスタンプが、それぞれの前記データフレームが前記非同期ネットワークに置かれる時刻を示し、クライアントデバイスが、前記同期タイムスタンプおよび前記クロック調整ファクタを使用して、前記クライアントデバイスと関連する第３のクロックを、前記選択された信号源に関連する前記第２のクロックと同期させる、タイムスタンプデバイスとを備え、
前記コントローラは、前記パケット化されたマルチメディアデータの受信に応答してデータフロータイムスタンプを生成し、それぞれのデータフロータイムスタンプが前記入力でそれぞれのマルチメディアデータパケットが受信された時刻を示し、前記データフレームが前記パケット化されたマルチメディアおよび関連したデータフロータイムスタンプを含み、前記クライアントデバイスが、前記データフロータイムスタンプおよび前記クロック調整ファクタを使用してクライアントデバイスのデータフローレートを制御し、前記入力で前記パケット化されたマルチメディアデータが受信されるレートに対応させる
ことを特徴とするサーバ装置。
【請求項２】  前記データフレームは、データフレームヘッダ，同期タイムスタンプを受け付けるためのタイムスタンプデータ部分、クロック調整ファクタを受け付けるクロック調整部分、および、パケット化されたマルチメディアデータおよびそれらの対応するデータフロータイムスタンプを受け付けるためのデータ部分を含むことを特徴とする請求項１に記載のサーバ装置。
【請求項３】  前記タイムスタンプデータ部分は、前記同期タイムスタンプを受け付けるための第１のタイムスタンプデータ部分と、前記クライアントデバイスによって追加された第２の同期タイムスタンプを受け付けるための第２のタイムスタンプデータ部分とを含むことを特徴とする請求項２に記載のサーバ装置。
【請求項４】  前記非同期ネットワークは、無線ネットワークであることを特徴とする請求項１に記載のサーバ装置。
【請求項５】  非同期ネットワーク上でパケット化されたマルチメディアデータを送信する方法であって、
複数の信号源のうち選択された１つから、前記選択された信号源に関連する同期情報を有するパケット化されたマルチメディアデータを受信するステップと、
前記同期情報に応答して、前記選択された信号源に関連する第１のクロックを用いてサーバクロックを表すことを可能にするクロック調整ファクタを生成するステップと、
前記選択された信号源から受信した前記パケット化されたマルチメディアデータ、および前記クロック調整ファクタが含まれるデータフレームを生成するステップと、
前記データフレームをクライアントデバイスに送信するために、前記データフレームを前記非同期ネットワークに置くステップであって、同期タイムスタンプは、生成されて各データフレーム内に書き込まれ、それぞれの同期タイムスタンプが、それぞれの前記データフレームが前記非同期ネットワークに置かれた時刻を示し、前記クライアントデバイスが、前記同期タイムスタンプおよび前記クロック調整ファクタを使用して、前記クライアントデバイスに関連する第２のクロックを、前記選択された信号源に関連する前記第１のクロックと同期させるステップと、
前記パケット化されたマルチメディアデータを受信した際にデータフロータイムスタンプを生成するステップであって、各データフロータイムスタンプが、対応するマルチメディアデータパケットが受信される時刻を示し、前記データフレームを生成するステップが、前記パケット化されたマルチメディアデータおよび前記クロック調整ファクタが含まれるデータフレームを生成することを含み、前記クライアントデバイスが、前記データフロータイムスタンプおよび前記クロック調整ファクタに応答して、前記パケット化されたマルチメディアデータが受信されるレートに対応するように前記クライアントデバイスの前記データフローレートを制御することができるステップと
を含むことを特徴とする方法。
【請求項６】  非同期ネットワーク上でサーバデバイスから受信したパケット化されたマルチメディアデータを処理する装置であって、前記パケット化されたマルチメディアデータは、前記サーバデバイスによって前記非同期ネットワーク上にそれぞれのデータフレームが置かれた時刻を示す同期タイムスタンプと、前記信号源に関連する第１のクロックを用いてサーバクロックを表すことを可能にするクロック調整ファクタとを含む、選択された信号源から前記サーバデバイスによって受信したデータフレームを備え、前記装置は、
前記非同期ネットワークに結合され、複数の信号源のうち選択された１つに結合されて動作するサーバデバイスにより送信された前記データフレームを受信する入力と、
前記入力に結合され、前記入力で前記データフレームが受信された時刻を示す第２の同期タイムスタンプを生成するタイムスタンプデバイスと、
第２のクロックと、
前記第２のクロックおよび前記タイムスタンプデバイスに結合され、前記同期タイムスタンプ、前記クロック調整ファクタ、および前記第２の同期タイムスタンプに応答して、前記第２のクロックを、複数の信号源のうち前記選択された１つに関連する前記第１のクロックと同期させるコントローラとを備え、
前記データフレームは、前記パケット化されたマルチメディアデータに関連するデータフロータイムスタンプをさらに含み、前記データフロータイムスタンプが、前記サーバにより各マルチメディアデータパケットが受信された時刻を示し、前記パケット化されたマルチメディアデータを格納するためのバッファ、およびデコーダをさらに備え、前記コントローラは、前記データフロータイムスタンプおよび前記クロック調整ファクタに応答して前記サーバで前記パケット化されたマルチメディアデータが受信されるレートに対応するように、前記パケット化されたマルチメディアデータが前記デコーダに転送されるレートを制御し、
前記コントローラは、前記同期タイムスタンプ，前記クロック調整ファクタ、および前記第２の同期タイムスタンプに応答して、前記第２のクロックと、前記信号源に関連する前記第１のクロックと間の差を示すエラー信号を生成し、前記エラー信号に応答して前記第２のクロックを前記信号源のクロックに周波数ロックする
ことを特徴とする装置。
【請求項７】  前記非同期ネットワークは、無線ネットワークであることを特徴とする請求項６に記載の装置。
【請求項８】  非同期ネットワークを介してサーバデバイスから受信したデータフレームの受信に応答してクライアントデバイスを制御する方法であって、それぞれのデータフレームが、複数の信号源のうち選択された１つから前記サーバデバイスによって受信したパケット化されたマルチメディアデータ、前記データフレームが前記非同期ネットワークに置かれる時刻を示す同期タイムスタンプ、および信号源クロックを用いてサーバクロックを表すことを可能にするクロック調整ファクタを含み、前記方法は、
サーバデバイスにより送信された前記データフレームを受信するステップであって、前記データフレームは、データフロータイムスタンプをさらに含み、それぞれのデータフロータイムスタンプが、対応するマルチメディアデータパケットが前記サーバデバイスによって受信される時刻を示すステップと、
前記データフレームを受信した際に第２の同期タイムスタンプを生成するステップであって、それぞれの第２のタイムスタンプが、前記非同期ネットワーク上でそれぞれのデータフレームが受信される時刻を示すステップと、
前記同期タイムスタンプ、前記クロック調整ファクタ、および前記第２の同期タイムスタンプに応答して、前記クライアントデバイスのクロックを前記信号源のクロックと同期させるステップと、
前記データフロータイムスタンプおよび前記クロック調整ファクタに応答して、前記サーバデバイスで前記パケット化されたマルチメディアデータが受信されるレートに対応するように、前記パケット化されたマルチメディアデータがバッファからデコーダに転送されるレートを制御するステップとを含み、
前記同期させるステップは、前記同期タイムスタンプ、前記クロック調整ファクタ、および前記第２の同期タイムスタンプに応答して、前記クライアントデバイスのクロックと前記信号源のクロックとの差を示すエラー信号を生成し、前記エラー信号に応答して、前記クライアントデバイスのクロックを前記信号源のクロックに周波数ロックすることを含むことを特徴とする方法。